(57)【要約】【課題】データ処理方式を切り替える際に、複数のデータ処理方式を常に備えておく必要がなく、装置の規模や消費電力が節約できる伝送装置及びデータ伝送方法を提供する。【解決手段】所定の種別のデータを取り扱う複数の対向する伝送装置に接続された伝送装置１であって、処理方式選択部３により、複数の対向伝送装置が取り扱う所定の種別のデータに対応した複数の処理方式データを予め備え、送受信する対向伝送装置に対応した処理方式データを選択してデータ処理部２に出力し、データ処理部２は第一の送受信部４と第二の送受信部５との間に設けられ、データ処理部２により、予め定めた種別のデータと対向伝送装置が取り扱う所定の種別のデータとの間の変換処理を行うためのデータ処理方式を規定する処理方式データを受け、自身のデータ処理部２の内部回路を、この受けた処理方式データに対応するデータ処理方式に形成する。【選択図】      図１
2014039216.tif 000002
【特許請求の範囲】
【請求項１】
それぞれが所定の種別のデータを取り扱う複数の対向する伝送装置に接続された伝送装置であって、
自身の伝送装置の外部と予め定めた種別のデータを送受信する第一の送受信部と、
複数の前記対向伝送装置と前記所定の種別のデータをそれぞれ送受信する複数の第二の送受信部と、
前記第一の送受信部と前記第二の送受信部との間に設けられ、前記予め定めた種別のデータと前記対向伝送装置が取り扱う前記所定の種別のデータとの間の変換処理を行うための前記所定の種別のデータに応じたデータ処理方式を規定する処理方式データを受け、自身のデータ処理部の内部回路を、この受けた処理方式データに対応するデータ処理方式に形成することにより前記データ処理方式を切り替え、前記第一の送受信部と前記第二の送受信部との間でデータをそれぞれ変換して受け渡すデータ処理部と、
複数の前記対向伝送装置がそれぞれ取り扱う前記所定の種別のデータに対応した複数の処理方式データから、送受信する前記対向伝送装置に対応した前記処理方式データを選択して、前記データ処理部に出力する処理方式選択部と、
を備えたことを特徴とする伝送装置。
【請求項２】
自身の伝送装置がデータを送受信する前記対向伝送装置を切り替えるための前記対向伝送装置を指定する指示を含んだ切り替え指示を外部から受信し、指定された前記対向伝送装置へ切り替えを要求する切り替え実行要求を出力する制御監視部を更に備え、
前記処理方式選択部は、切り替え実行要求が切り替えを要求する前記対向伝送装置に対応する前記処理方式データを前記データ処理部に出力する、
ことを特徴とする請求項１記載の伝送装置。
【請求項３】
前記処理方式選択部は、
複数の前記対向伝送装置が取り扱うそれぞれの前記所定の種別のデータに対応した複数の前記処理方式データを格納する格納部と、
送受信する前記対向伝送装置に対応した前記処理方式データを前記格納部から読み出し、この読み出した処理方式データを前記データ処理部に出力する制御部と、
を備えたことを特徴とする請求項１又は２記載の伝送装置。
【請求項４】
前記データ処理部は、ＦＰＧＡ（Ｆｉｅｌｄ―Ｐｒｏｇｒａｍｍａｂｌｅ  Ｇａｔｅ  Ａｒｒａｙ）で構成され、前記処理方式選択部が、前記対向伝送装置が取り扱うデータの種別に対応する前記処理方式データを、前記ＦＰＧＡに設定することにより、前記データ処理部のデータ処理方式を切り替える、
ことを特徴とする請求項１、２又は３記載の伝送装置。
【請求項５】
前記処理方式データは、ＳＤＨ（Ｓｙｎｃｈｒｏｎｏｕｓ  Ｄｉｇｉｔａｌ  Ｈｉｅｒａｒｃｈｙ）、ＳＯＮＥＴ（Ｓｙｎｃｈｒｏｎｏｕｓ  Ｏｐｔｉｃａｌ  ＮＥＴｗｏｒｋ）を含む同期網やＥｔｈｅｒｎｅｔを含む非同期網で扱うデータを処理する処理方式データを含む、
ことを特徴とする請求項１、２、３又は４記載の伝送装置。
【請求項６】
それぞれが所定の種別のデータを取り扱う複数の対向する伝送装置に接続された伝送装置のデータ伝送方法であって、
自身の伝送装置の外部から受ける予め定めた種別のデータと前記対向伝送装置が取り扱う前記所定の種別のデータとの間の変換処理を行うための、複数の前記対向伝送装置がそれぞれ取り扱う種別のデータに対応したそれぞれのデータ処理方式を規定する、複数の処理方式データから、送受信する前記対向伝送装置に対応した前記処理方式データを選択し、
自身の伝送装置の内部回路を、この選択した前記処理方式データに対応するデータ処理方式に形成することにより前記データ処理方式を切り替え、
自身の伝送装置の外部と、前記対向伝送装置との間で前記データ処理方式に基づいてデータをそれぞれ変換して受け渡す、
ことを特徴とするデータ伝送方法。
【請求項７】
自身の伝送装置がデータを送受信する前記対向伝送装置を切り替えるための前記対向伝送装置を指定する指示を含んだ切り替え指示を外部から受信し、
前記切り替え指示により指定された前記対向伝送装置が取り扱う前記所定の種別のデータに応じた前記処理方式データに基づいて前記データ処理方式を切り替える、
ことを特徴とする請求項６記載のデータ伝送方法。
【請求項８】
複数の前記対向伝送装置が取り扱うそれぞれの前記所定の種別のデータに対応した複数の前記処理方式データを予め備え、
この予め備えた複数の前記処理方式データから、送受信する前記対向伝送装置が取り扱う前記所定の種別のデータに対応した前記処理方式データを選択する、
ことを特徴とする請求項６又は７記載のデータ伝送方法。
【請求項９】
ＦＰＧＡを予め備え、前記対向伝送装置が取り扱うデータの種別に対応する前記処理方式データを、前記ＦＰＧＡに設定することにより、前記データ処理方式を切り替える、
ことを特徴とする請求項６、７又は８記載のデータ伝送方法。
【請求項１０】
前記処理方式データは、ＳＤＨ、ＳＯＮＥＴを含む同期網やＥｔｈｅｒｎｅｔを含む非同期網で扱うデータを処理する処理方式データを含む、
ことを特徴とする請求項６、７、８又は９記載のデータ伝送方法。
【発明の詳細な説明】
【技術分野】
【０００１】
本発明は、伝送装置及びデータ伝送方法に関し、データ処理方式を切り替える際に、装置の規模や消費電力が節約できる伝送装置及びデータ伝送方法に関する。
【背景技術】
【０００２】
一般的に、異種のデータを取り扱う複数の伝送装置に接続され、この複数の伝送装置のうちの一つの伝送装置に対応するデータを処理し、この処理したデータをこの一つの伝送装置に伝送する伝送装置がある。この伝送装置が、複数の伝送装置のうちの他の伝送装置に対応するデータの処理に切り替える場合、一般的に、この伝送装置内のデータ処理方式を他の伝送装置に対応するデータ処理方式に切り替える。
【０００３】
対向する伝送装置のデータ処理方式を検出して自身のデータ処理方式を切り替える技術が特許文献１に開示されている。
特許文献１に開示の伝送装置は、複数の伝送路光インタフェース部と、選択部と、光折返し部と、光信号検出部と、監視制御部とを備える。この伝送装置は、伝送路を介して対向する他の伝送装置と接続している。複数の伝送路光インタフェース部は、それぞれの伝送路に応じたフレームによってデータを伝送する常時稼働状態にあるインタフェースである。また、各伝送路は伝送路容量が異なる。光折返し部は、対向する伝送装置からの光信号をこの対向する伝送装置へ向けてそのまま折返す折返し設定、及びこの折返し設定を解除する折返し解除設定を、伝送路光インタフェースの種別に対応した特定の時間間隔で繰返し行う。光信号検出部は、対向する伝送装置からの光信号を受信する。監視制御部は、光折返し部が繰返して行った、そのまま折返す折返し設定と折返し設定を解除する折返し解除設定の時間間隔を判定する。選択部は、指示に基づき複数の伝送路光インタフェース部のうちから一つの伝送路光インタフェース部を選択する。
【０００４】
伝送装置は、監視制御部が判定した、光折返し部が繰返して行った折返し設定と折返し解除設定の時間間隔を基に、対向する伝送装置の使用する伝送路光インタフェース種別（例えば、伝送路に応じたフレーム、すなわちデータ処理方式）を特定する。そして、この特定した伝送路光インタフェース種別の伝送路光インタフェース部に切り替えるよう選択部に指示する。選択部は、指示に基づき常時稼働状態にある複数の伝送路光インタフェース部のうちから一つの伝送路光インタフェース部を選択する（すなわち、選択部は、指示に基づき複数のデータ処理方式のうちから一つのデータ処理方式を選択する。）。選択された伝送路光インタフェース部は、伝送路を介して対向する伝送装置と接続される。
【０００５】
このように、特許文献１に開示の伝送装置は、対向する伝送装置側の伝送路光インタフェース種別（データ処理方式）を自動的に認識する。そして、常時稼働状態にある複数の伝送路光インタフェース部のうちから一つの伝送路光インタフェース部を、対向する伝送装置の伝送路光インタフェース種別に対応する伝送路光インタフェース部（データ処理方式）に合わせて選択する。そして、この選択した伝送路光インタフェース部を自身の伝送路光インタフェース部として切り替える。そして、この切替えられた伝送路光インタフェース部を介したデータが伝送装置から対向する伝送装置へ転送される。
【０００６】
すなわち、特許文献１に開示の伝送装置は、対向する伝送装置側のデータ処理方式を自動的に認識し、複数のデータ処理方式のうちからこの認識した一つのデータ処理方式を選択し、この選択した方式で処理されたデータを対向する伝送装置へ転送する。
【先行技術文献】
【特許文献】
【０００７】
【特許文献１】特開２０１２−４９５７号公報
【発明の概要】
【発明が解決しようとする課題】
【０００８】
上述した特許文献１に記載の伝送装置は、対向する伝送装置のデータ処理方式に切り替える場合、対向する伝送装置のデータ処理方式を自動的に認識する。そして、常時稼働状態にある複数のデータ処理方式（伝送路光インタフェース部）のうちからこの認識した一つのデータ処理方式（伝送路光インタフェース部）を選択し、この選択した方式で処理されたデータを対向する伝送装置へ転送している。このため、この伝送装置は、対向する伝送装置のデータ処理方式に切り替える場合、常時稼働状態にある複数のデータ処理方式（伝送路光インタフェース部）を常に備えておく必要があり、装置の規模や消費電力が大きくなるといった問題がある。
【０００９】
本発明の目的は、上記課題を解決して、データ処理方式を切り替える際に、複数のデータ処理方式を常に備えておく必要がなく、装置の規模や消費電力が節約できる伝送装置及びデータ伝送方法を提供することである。
【課題を解決するための手段】
【００１０】
本発明の伝送装置は、それぞれが所定の種別のデータを取り扱う複数の対向する伝送装置に接続された伝送装置であって、自身の伝送装置の外部と予め定めた種別のデータを送受信する第一の送受信部と、複数の前記対向伝送装置と前記所定の種別のデータをそれぞれ送受信する複数の第二の送受信部と、前記第一の送受信部と前記第二の送受信部との間に設けられ、前記予め定めた種別のデータと前記対向伝送装置が取り扱う前記所定の種別のデータとの間の変換処理を行うための前記所定の種別のデータに応じたデータ処理方式を規定する処理方式データを受け、自身のデータ処理部の内部回路を、この受けた処理方式データに対応するデータ処理方式に形成することにより前記データ処理方式を切り替え、前記第一の送受信部と前記第二の送受信部との間でデータをそれぞれ変換して受け渡すデータ処理部と、複数の前記対向伝送装置がそれぞれ取り扱う前記所定の種別のデータに対応した複数の処理方式データを予め備え、送受信する前記対向伝送装置に対応した前記処理方式データを選択して、前記データ処理部に出力する処理方式選択部とを備えている。
【００１１】
本発明のデータ伝送方法は、それぞれが所定の種別のデータを取り扱う複数の対向する伝送装置に接続された伝送装置のデータ伝送方法であって、自身の伝送装置の外部から受ける予め定めた種別のデータと前記対向伝送装置が取り扱う前記所定の種別のデータとの間の変換処理を行うための、複数の前記対向伝送装置がそれぞれ取り扱う種別のデータに対応したそれぞれのデータ処理方式を規定する、複数の処理方式データから、送受信する前記対向伝送装置に対応した前記処理方式データを選択し、自身の伝送装置の内部回路を、この選択した前記処理方式データに対応するデータ処理方式に形成することにより前記データ処理方式を切り替え、自身の伝送装置の外部と、前記対向伝送装置との間で前記データ処理方式に基づいてデータをそれぞれ変換して受け渡すようにしている。
【発明の効果】
【００１２】
本発明によれば、データ処理方式を切り替える際に、複数のデータ処理方式を常に備えておく必要がなく、装置の規模や消費電力が節約できる伝送装置及びデータ伝送方法を提供することができる。
【図面の簡単な説明】
【００１３】
【図１】本発明の第１の実施の形態に係る伝送装置の一例を示す図である。
【図２】本発明の第２の実施の形態に係る伝送装置の一例を示す図である。
【図３】本発明の第２の実施の形態の伝送装置の動作の一例を示すフローチャートである。
【発明を実施するための形態】
【００１４】
次に、本発明の実施の形態について図面を参照して説明する。
（第１の実施の形態）
図１は、本発明の第１の実施の形態に係る伝送装置の一例を示す図である。
【００１５】
本実施の形態の伝送装置１は、それぞれが所定の種別のデータを取り扱う複数の対向する伝送装置に接続されている。所定の種別のデータとは、例えば、ＳＤＨ（Ｓｙｎｃｈｒｏｎｏｕｓ  Ｄｉｇｉｔａｌ  Ｈｉｅｒａｒｃｈｙ）、ＳＯＮＥＴ（Ｓｙｎｃｈｒｏｎｏｕｓ  Ｏｐｔｉｃａｌ  ＮＥＴｗｏｒｋ）を含む同期網やＥｔｈｅｒｎｅｔ（登録商標）を含む非同期網で扱うデータを含む。対向する伝送装置とは、クライアント伝送装置、ルーター、メディアコンバータ等の装置を含む。
【００１６】
本実施の形態の伝送装置１は、他の伝送装置から伝送されてきたデータを、現在指定されている対向伝送装置に対して、この対向伝送装置の取り扱う種別のデータ（例えば、ＳＤＨで扱うデータ）に変換して出力する。また、対向伝送装置から送られてきたデータを予め定めた種別のデータに変換して他の伝送装置に出力する。予め定めた種別のデータとは、例えば、ＯＴＮ（Ｏｐｔｉｃａｌ  Ｔｒａｎｓｐｏｒｔ  Ｎｅｔｗｏｒｋ）で扱うデータである。
【００１７】
本実施の形態に係る伝送装置１は、第一の送受信部４と、複数の第二の送受信部５と、データ処理部２と、処理方式選択部３とにより構成される。
【００１８】
第一の送受信部４は、自身の伝送装置１の外部（例えば、他の伝送装置）と予め定めた種別のデータを送受信する。第一の送受信部４は、例えば光ファイバー伝送路を介して他の伝送装置と接続されている。
【００１９】
複数の第二の送受信部５は、複数の対向伝送装置とそれぞれ接続され対向伝送装置に応じた所定の種別のデータをそれぞれ送受信する。
【００２０】
データ処理部２は、第一の送受信部４と第二の送受信部５との間に設けられる。そして、予め定めた種別のデータと対向伝送装置が取り扱う所定の種別のデータとの間のデータ変換処理を行うためのデータ処理方式を規定する処理方式データを受ける。データ処理方式は所定の種別のデータに応じた処理方式である。処理方式データは、ＳＤＨ、ＳＯＮＥＴを含む同期網やＥｔｈｅｒｎｅｔを含む非同期網で扱うデータを処理する処理方式データを含む。そして、データ処理部２は、自身のデータ処理部２の内部回路を、この受けた処理方式データに対応するデータ処理方式に形成することによりデータ処理方式を切り替え、第一の送受信部４と第二の送受信部５との間でデータをそれぞれ変換して受け渡す。処理方式選択部３は、複数の対向伝送装置がそれぞれ取り扱う所定の種別のデータに対応した複数の処理方式データから、送受信する対向伝送装置に対応した処理方式データを選択して、データ処理部２に出力する。
【００２１】
図１では三個の対向伝送装置を記載しているが、三個にこだわることなく二個以上何個であってもよい。
【００２２】
次に、本実施の形態の伝送装置の動作を説明する。
【００２３】
初めに、自身の伝送装置１は、他の伝送装置から伝送されてきたデータを、現在指定されている対向伝送装置に対して、この対向伝送装置の取り扱う種別のデータ（例えば、ＳＤＨで扱うデータ）に変換して出力している。また、この対向伝送装置から送られてきたデータを予め定めた種別のデータ（例えば、ＯＴＮで扱うデータ）に変換して他の伝送装置に出力している。
【００２４】
処理方式選択部３は、送受信する対向伝送装置を、現在指定されている対向伝送装置から他の対向伝送装置に切り替えるために、他の対向伝送装置の取り扱う種別のデータに対応する処理方式データを、複数の処理方式データから選択する。複数の処理方式データは、外部から取得しても、予め備えていてもよい。そして、この選択した処理方式データをデータ処理部２に出力する。他の対向伝送装置の取り扱う種別のデータは、例えば、ＳＯＮＥＴで扱うデータである。
【００２５】
データ処理部２としては構成を設定できる集積回路等の回路が用いられ、例えば、ＦＰＧＡ（Ｆｉｅｌｄ―Ｐｒｏｇｒａｍｍａｂｌｅ  Ｇａｔｅ  Ａｒｒａｙ）で構成される。ＦＰＧＡの構成設定は、一般にハードウェア記述言語（ＨＤＬ：Ｈａｒｄｗａｒｅ  Ｄｅｓｃｒｉｐｔｉｏｎ  Ｌａｎｇｕａｇｅ）を使用して指定され、ＦＰＧＡに任意の論理機能を実装できる。この場合、データ処理部２は、処理方式選択部３が出力したＨＤＬで記述された処理方式データをＦＰＧＡに設定（リコンフィグレーション）することにより、対向伝送装置に対応する第二の送受信部５との配線の接続を含めて所望のデータ処理方式の回路に自らを形成することができる。これにより、データ処理部２は第一の送受信部４と第二の送受信部５との間で変換したデータを受け渡すことが可能となる。このため、伝送装置１は、この切り替えた対向伝送装置と他の伝送装置との間で、これらの装置で取り扱う種別のデータを受け渡すことができる。データ処理部２としては、ＦＰＧＡに限られず、構成を設定できる集積回路等の回路であればよい。
【００２６】
このように、本発明の第１の実施の形態によれば、送受信する対向伝送装置を他の対向伝送装置に切り替える際に、他の対向伝送装置の取り扱う種別のデータに対応する処理方式データを、予め備えている複数の処理方式データから選択する。そして、この選択した処理方式データをデータ処理部２に出力する。そして、データ処理部２により、この処理方式データに基づいて、自身のデータ処理部２の内部回路をこの処理方式データに対応するデータ処理方式に形成する。このことにより、他の対向伝送装置に応じたデータ処理方式に切り替える。
【００２７】
このため、本発明の第１の実施の形態によれば、複数の処理方式データを予め備え、データ処理方式を切り替える際に、この予め備えた複数の処理方式データから選択した処理方式データによりデータ処理部の内部回路を形成している。このため、データ処理方式を切り替える際に、複数のデータ処理方式を常に備えておく必要がなく、装置の規模や消費電力が節約できる。
【００２８】
また、本発明の第１の実施の形態によれば、データ処理部２は、構成を設定できる回路、例えばＦＰＧＡで構成されているので、現在使用している対向伝送装置に対応する第二の送受信部５とデータ処理部２との間の配線はデータ処理部２と接続されている。しかし、現在使用されていない対向伝送装置に対応する第二の送受信部５とデータ処理部２との間の配線はデータ処理部２の内部で内部回路と切断されている。このため、データ処理部２と第二の送受信部５との間の配線を常に接続しておいても、使用していない対向伝送装置に対応する配線は、データ処理部２の内部回路と切断されているので、使用している対向伝送装置に対応する配線への干渉が無い。このため、すべての対向伝送装置に対応する第二の送受信部５とデータ処理部２との間の配線を常時接続しておくことができる。
【００２９】
また、本発明の第１の実施の形態によれば、処理方式選択部３は、他の対向伝送装置の取り扱う種別のデータに対応する処理方式データを、予め備えている複数の処理方式データから選択し、データ処理部２に設定することによりデータ処理方式を切り替える。そして、この切り替えたデータ処理方式に対応する対向伝送装置に応じたデータ処理を行う。このため、対向伝送装置に対応する処理方式データを対向伝送装置数分予め備えているだけで、簡単に対向伝送装置を増設できる。また、その増設数に制限がない。
（第２の実施の形態）
図２は、本発明の第２の実施の形態に係る伝送装置の一例を示す図である。
【００３０】
この図２は、図１で示した伝送装置１に制御監視部８を付加したものである。また、処理方式選択部３を具体化している。
【００３１】
本第２の実施の形態は、第１の実施の形態の伝送装置１の動作をより具体化したものである。したがって、主に第１の実施の形態と相違する部分について説明する。
【００３２】
本実施の形態に係る伝送装置１は、第一の送受信部４と、複数の第二の送受信部５と、データ処理部２と、処理方式選択部３と、制御監視部８とにより構成される。処理方式選択部３は、制御部６と、格納部７とにより構成される。
【００３３】
制御監視部８は、自身の伝送装置１がデータを送受信する対向伝送装置を切り替えるための対向伝送装置を指定する指示を含んだ切り替え指示を外部から受信する。外部とは、例えば、自身の伝送装置１と、この伝送装置１の第一の送受信部４と接続した他の伝送装置とを含む網を管理する集中管理装置（不図示）である。そして、制御監視部８は、切り替え指示により指定された対向伝送装置への切り替えを要求する切り替え実行要求を出力する。処理方式選択部３の格納部７は、複数の対向伝送装置が取り扱うそれぞれの所定の種別のデータに対応した複数の処理方式データを格納する。処理方式選択部３の制御部６は、制御監視部８が出力した切り替え実行要求を受ける。そして、この要求により切り替えを要求された、自身の伝送装置１と送受信する対向伝送装置に対応した処理方式データを格納部７から選択して読み出す。そして、この読み出した処理方式データをデータ処理部２に出力する。
【００３４】
データ処理部２の処理内容は、データ変換以外に、例えば、データの正常性監視、トラフィック制御を含んでも良い。図２では三個の対向伝送装置を記載しているが、三個にこだわることなく二個以上何個であってもよい。
【００３５】
次に、本発明の第２の実施の形態に係る伝送装置１の動作を、図３を参照して詳細に説明する。
【００３６】
図３は、本発明の第２の実施の形態の伝送装置の動作の一例を示すフローチャートである。
【００３７】
初めに、自身の伝送装置１は、他の伝送装置から伝送されてきたデータを、現在指定されている対向伝送装置に対して、この対向伝送装置の取り扱う種別のデータ（例えば、ＳＤＨで扱うデータ）に変換して出力している。また、この対向伝送装置から送られてきたデータを予め定めた種別のデータ（例えば、ＯＴＮで扱うデータ）に変換して他の伝送装置に出力している。
【００３８】
そして、次のようにして、現在指定され送受信している対向伝送装置から他の対向伝送装置へ切り替える。すなわち、
図３のステップＳ１では、制御監視部８が、自身の伝送装置１がデータを送受信する対向伝送装置を切り替えるための対向伝送装置を指定する指示を含んだ切り替え指示を、例えば、他の伝送装置と伝送装置１を管理する集中管理装置（不図示）から受信する。
【００３９】
図３のステップＳ２では、制御監視部８は、ステップＳ１で受信した切り替え指示により指定された対向伝送装置は、現在指定され送受信している対向伝送装置か否かを調べる。
調べた結果が現在指定され送受信している対向伝送装置であることを示す場合（ＹＥＳの場合）は、ステップＳ１に戻る。調べた結果が現在指定され送受信している対向伝送装置でないことを示す場合（ＮＯの場合）は、ステップＳ３へ進む。
【００４０】
図３のステップＳ３では、制御監視部８は、切り替え指示により指定された対向伝送装置への切り替えを要求する切り替え実行要求を出力する。
【００４１】
図３のステップＳ４では、処理方式選択部３の制御部６が、制御監視部８が出力した切り替え実行要求を受ける。そして、この切り替え実行要求により切り替えを要求された対向伝送装置に対応した処理方式データを複数の処理方式データを格納する格納部７から選択して読み出す。そして、この読み出した処理方式データをデータ処理部２に出力する。
【００４２】
図３のステップＳ５では、データ処理部２が、処理方式選択部３から処理方式データを受け、この処理方式データに基づいて、切り替えを要求された対向伝送装置に対応する第二の送受信部５との配線の接続を含めて自身のデータ処理部２の内部回路をこの処理方式データに対応するデータ処理方式に形成する。すなわち、処理方式選択部３が出力した処理方式データを、ＦＰＧＡに設定（リコンフィグレーション）することにより、この処理方式データに対応するデータ処理方式の回路を形成する。これにより、データ処理部２のデータ処理方式を切り替える。
【００４３】
したがって、本発明の第２の実施の形態によれば、処理方式選択部３の格納部７が、複数の対向伝送装置が取り扱うそれぞれの所定の種別のデータに対応した複数の処理方式データを予め格納する。そして、処理方式選択部３の制御部６が、切り替え実行要求を受けこの要求により切り替えを要求された対向伝送装置に対応した処理方式データを格納部７から選択し出力する。そして、データ処理部２がこの処理方式データを受け、この処理方式データを設定する。これにより、データ処理部２のデータ処理方式を切り替える。
このため、格納部７に格納する対向伝送装置に対応する処理方式データを対向伝送装置数分格納するだけで、簡単に対向伝送装置を増設できる。また、その増設数に制限がない。このように、本発明の第２の実施の形態は、本発明の第１の実施の形態と同様の効果を備えている。
【符号の説明】
【００４４】
１  伝送装置
２  データ処理部
３  処理方式選択部
４  第一の送受信部
５  第二の送受信部
６  制御部
７  格納部
８  制御監視部
【図１】
2014039216.tif 000003
【図２】
2014039216.tif 000004
【図３】
2014039216.tif 000005